【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
ダイヤフラム弁であって、
支持表面および弁座を含む第１の本体と、
溶接によって前記第１の本体に継合される外側部分と、締付部分と、前記ダイヤフラム弁を閉鎖するために前記弁座に接触するように軸に沿って移動可能な内側部分とを含むダイヤフラムと、
軸受表面を有する外側部分と、中心開口部を含む円盤とを含む第２の本体であって、前記円盤は、前記外側部分から前記中心開口部まで半径方向内方に延在しており、前記円盤は、前記外側部分の幅よりも小さい幅を有している、第２の本体と、
前記軸受表面の半径方向内方の前記円盤の一部分に対して力を印加する荷重印加部材と
を含み、
前記ダイヤフラムの前記締付部分は、前記軸受表面と前記支持表面との間で圧縮され、
前記荷重印加部材によって前記円盤の前記一部分に印加された前記力は、前記軸受表面と前記支持表面との間で前記ダイヤフラムの前記締付部分を圧縮する荷重を生成する、ダイヤフラム弁。
【請求項２】
前記ダイヤフラムは、周縁を有する略円盤形状の本体を含み、前記溶接は、前記周縁の近傍またはそこに位置付けられる、請求項１に記載の弁。
【請求項３】
前記ダイヤフラムの前記締付部分は、前記ダイヤフラムの内側部分が移動すると、前記溶接を曲げ応力から隔絶する、請求項１に記載の弁。
【請求項４】
前記ダイヤフラムの内側部分は、第１の位置と第２の位置との間で撓み、前記弁を開放および閉鎖する、請求項３に記載の弁。
【請求項５】
前記内側円盤は、前記第２の本体の外側部分から片側だけ固定される、請求項１に記載の弁。
【請求項６】
前記第１の本体と前記荷重印加部材との間の摩擦および前記第２の本体と前記ダイヤフラムとの間の摩擦は、前記第１の本体と前記荷重印加部材との間の相対的回転に抵抗する、請求項１に記載の弁。
【請求項７】
前記第１の本体は、弁本体を含み、前記第２の本体は、締付リングを含む、請求項１に記載の弁。
【請求項８】
前記ダイヤフラムの前記締付部分は、前記溶接と前記溶接されたダイヤフラムの熱影響域とから離間される、請求項１に記載の弁。
【請求項９】
前記ダイヤフラムの前記締付部分は、前記溶接と前記溶接されたダイヤフラムの熱影響域とに隣接する、請求項１に記載の弁。
【請求項１０】
前記第２の本体は、前記ダイヤフラムと第１の本体支持表面との間にバネ荷重を印加する、請求項１に記載の弁。
【請求項１１】
円筒形本体の圧着部分によって、前記第１の本体に継合可能な円筒形本体を含む、請求項１に記載の弁。
【請求項１２】
前記第２の本体は、２つの配向のうちのいずかに搭載することができる対称的円盤を含む、請求項１に記載の弁。
【請求項１３】
前記第２の本体は、前記円筒形本体の円筒形内部壁内に密嵌合し、前記第２の本体を前記円筒形本体の中心に据える、略円形外側壁を含む、請求項１１に記載の弁。
【請求項１４】
円形外側壁を有する外側部分と、内向きに延在する先細の円盤部分とを含む略環状本体であって、前記円盤部分は、前記円盤部分を通る中心孔を囲む内側縁まで先細になっており、前記円盤部分は、前記円形外側壁の幅よりも小さい幅Ｗを有する、略環状本体
を含む、締付リング。
【請求項１５】
前記略環状本体は、前記略環状本体の中心縦軸を中心として、対称的である、請求項１４に記載の締付リング。
【請求項１６】
前記外側リング部分は、前記円盤部分の最大軸方向長より長い軸方向長を有する、請求項１４に記載の締付リング。
【請求項１７】
前記円盤部分は、前記外側リング部分の中央部分から延在する、請求項１６に記載の締付リング。
【請求項１８】
前記外側リング部分は、前記外側リング部分の主外径から軸方向に延在する環状リブを含む、請求項１４に記載の締付リング。
【請求項１９】
前記円盤部分は、前記内側縁に向かって先細である、請求項１８に記載の締付リング。
【請求項２０】
ダイヤフラム弁であって、
支持表面および弁座を含む第１の本体と、
溶接によって前記第１の本体に継合される外側部分と、締付部分と、前記ダイヤフラム弁を閉鎖するために前記弁座に接触するように軸に沿って移動可能な内側部分とを含むダイヤフラムと、
軸受表面を有する外側部分と、可撓性内側部分とを含む第２の本体であって、前記ダイヤフラムの前記締付部分は、前記軸受表面と前記支持表面との間で圧縮される、第２の本体と
を含み、
前記ダイヤフラムの前記締付部分は、前記溶接と前記ダイヤフラムの内側部分との間に配置され、前記第２の本体の可撓性の内側部分は、前記軸受表面と前記支持表面との間に荷重を印加するように弾性的に変形される、ダイヤフラム弁。
【請求項２１】
前記ダイヤフラムは、周縁を有する略円盤形状の本体を含み、前記溶接は、前記周縁の近傍またはそこに位置付けられる、請求項２０に記載のダイヤフラム弁。
【請求項２２】
前記ダイヤフラムの前記締付部分は、前記ダイヤフラムの内側部分が移動すると、前記溶接を曲げ応力から隔絶する、請求項２０に記載のダイヤフラム弁。
【請求項２３】
前記ダイヤフラムの内側部分は、第１の位置と第２の位置との間で撓み、前記ダイヤフラム弁を開放および閉鎖する、請求項２２に記載のダイヤフラム弁。
【請求項２４】
前記第２の本体は、半径方向外側部分と、前記第２の本体の前記半径方向外側部分から内方に延在する半径方向内側円盤とを有するリング状本体を含み、前記第２の本体の前記半径方向外側部分は、前記軸受表面を含み、前記半径方向内側円盤は、前記第２の本体の前記外側部分から片側だけ固定される、請求項２０に記載のダイヤフラム弁。
【請求項２５】
荷重印加表面を含む部材を含み、前記荷重印加表面は、前記第２の本体の半径方向内側円盤に対して荷重を印加して、前記軸受表面と前記支持表面との間で前記ダイヤフラムの締付部分を圧縮する、請求項２４に記載のダイヤフラム弁。
【請求項２６】
前記第１の本体と前記部材との間の摩擦および前記第２の本体と前記ダイヤフラムとの間の摩擦は、前記第１の本体と前記部材との間の相対的回転に抵抗する、請求項２５に記載のダイヤフラム弁。
【請求項２７】
前記第１の本体は、弁本体を含み、前記第２の本体は、締付リングを含む、請求項２０に記載のダイヤフラム弁。
【請求項２８】
前記ダイヤフラムの前記締付部分は、前記溶接と前記溶接されたダイヤフラムの熱影響域とから離間される、請求項２０に記載のダイヤフラム弁。
【請求項２９】
前記ダイヤフラムの前記締付部分は、前記溶接と前記ダイヤフラムの熱影響域とに隣接する、請求項２０に記載のダイヤフラム弁。
【請求項３０】
前記第２の本体は、前記ダイヤフラムと第１の本体支持表面との間にバネ荷重を印加する、請求項２０に記載のダイヤフラム弁。
【請求項３１】
円筒形本体の圧着部分によって、前記第１の本体に継合可能な円筒形本体を含む、請求項２０に記載のダイヤフラム弁。
【請求項３２】
前記第２の本体は、前記円筒形本体の円筒形内部壁内に密嵌合し、前記第２の本体を前記円筒形本体の中心に据える、略円形外側壁を含む、請求項３１に記載のダイヤフラム弁。
【請求項３３】
前記円筒形本体は、アクチュエータを少なくとも部分的に封入する、請求項３１に記載のダイヤフラム弁。
【請求項３４】
前記第２の本体は、前記第２の本体の半径方向軸を中心として対称的である対称的円盤を含む、請求項２０に記載のダイヤフラム弁。
【請求項３５】
前記第２の本体は、活荷重として、前記ダイヤフラムの締付部分に対して前記荷重を印加する一体型本体を含む、請求項２０に記載のダイヤフラム弁。
【請求項３６】
前記第２の本体は、前記軸受表面を含む第１の部品と、前記ダイヤフラムの締付部分に対して活荷重を生成する第２の部品との２つの別個の部品を含む、請求項２０に記載のダイヤフラム弁。
【請求項３７】
前記第２の本体は、円盤部分を含み、前記円盤部分は、弾性的に変形され、かつ、片側だけ固定されたリングを含む、請求項２０に記載の締付リング。
【請求項３８】
前記円盤部分は、前記締付リングの半径方向軸を中心として、非対称的である、請求項３７に記載の締付リング。
【請求項３９】
縦軸を有するダイヤフラム弁であって、
支持表面および弁座を含む弁本体と、
溶接によって前記弁本体に継合される外側部分と、前記ダイヤフラム弁を閉鎖するために前記弁座に接触するように前記縦軸に沿って移動可能な内側部分とを含むダイヤフラムと、
前記弁本体に継合される円筒形本体と、
前記ダイヤフラムの締付部分に対して圧縮荷重を印加する軸受表面と、前記弁本体の支持表面とを含む締付リングであって、前記締付リングは、前記ダイヤフラムの前記締付部分に対して圧縮荷重を生成する弾性的に変形された部分を含む、締付リングと
を含み、
前記ダイヤフラムの締付部分は、前記溶接と前記ダイヤフラムの内側部分との間に配置される、ダイヤフラム弁。
【請求項４０】
前記ダイヤフラムは、前記ダイヤフラム弁の縦軸と同軸である中心を伴う略丸形本体を含み、前記ダイヤフラムの前記締付部分は、前記溶接と前記ダイヤフラムの熱影響域とから半径方向に内方にある、請求項３９に記載のダイヤフラム弁。
【請求項４１】
前記円筒形本体は、前記ダイヤフラム弁のためのアクチュエータのための筐体を含む、請求項３９に記載のダイヤフラム弁。
【請求項４２】
前記円筒形本体は、荷重印加表面を含み、前記荷重印加表面は、前記締付リングに対して荷重を印加することにより、前記ダイヤフラムの締付部分と、前記弁本体の前記支持表面との間に圧縮荷重を生成し、前記荷重印加表面は、前記ダイヤフラムの前記締付部分の半径方向に内方にある場所において、前記締付リングに対して荷重を印加する、請求項３９に記載のダイヤフラム弁。
【請求項４３】
前記円筒形本体は、前記円筒形本体の締付部分によって前記弁本体に継合される、請求項４１に記載のダイヤフラム弁。
【手続補正２】
【補正対象書類名】明細書
【補正対象項目名】０００４
【補正方法】変更
【補正の内容】
【０００４】
本開示に提示される本発明のうちの１つ以上のある実施形態によると、部材が、溶接されたダイヤフラム弁内に提供され、それによって、ダイヤフラムが支持構造に溶接される領域近傍のダイヤフラムに、圧縮荷重が印加される。本圧縮荷重は、ダイヤフラムが、弁作動の間、屈曲または移動する時、溶接を曲げ応力およびモーメントから隔絶するように機能する。一実施形態では、圧縮荷重は、印加された荷重をダイヤフラム上に持続させる、ポテンシャルエネルギーを貯蔵するために、部材の弾性変形によって生成されたバネ荷重または活荷重である。一実施形態では、部材は、筐体部材の作用によって荷重がかけられる締付リングを備える。筐体部材は、一実施形態では、ダイヤフラム弁と併用される、アクチュエータのための筐体を備えてもよい。本発明のその他は、別個または種々の組み合わせにおいて、締付リング幾何学形状または形状、ダイヤフラム弁、アクチュエータ、および締付部材の組み合わせ、ならびにダイヤフラム弁を製造するための方法を含む。締付リングまたは部材の異なる例示的実施形態が、一体型および非一体型設計を含め、本明細書に開示される。随意の実施形態は、圧着筐体と、圧着筐体と弁本体との間の刻み付き領域と、搭載の間、弁本体の角度配向を示す、視覚的に認知可能な基部設計と、を含んでもよい。随意の実装ボルト保定特徴もまた、提供され、例えば、基板または他の支持表面上に配置することができる、表面実装流体構成要素を有するタイプのモジュール式システムと併用されてもよい。
本発明は、例えば、以下を提供する。
（項目１）
ダイヤフラム弁であって、
支持表面を含む第１の本体と、
溶接によって上記第１の本体に継合される外側部分と、締付部分と、軸に沿って移動可能な内側部分とを含むダイヤフラムと、
軸受表面を含む第２の本体と
を含み、
上記ダイヤフラムの締付部分は、上記軸受表面と上記支持表面との間に圧縮され、
上記ダイヤフラムの締付部分は、上記溶接と上記ダイヤフラム内側部分との間に配置され、
上記第２の本体は、上記軸受表面と上記支持表面との間に活荷重を印加する、弁。
（項目２）
上記ダイヤフラムは、周縁を有する略円盤形状の本体を含み、上記溶接は、上記周縁の近傍またはそこに位置付けられる、項目１に記載の弁。
（項目３）
上記ダイヤフラムの締付部分は、上記ダイヤフラム内側部分が移動すると、上記溶接を曲げ応力から隔絶する、項目１に記載の弁。
（項目４）
上記ダイヤフラム内側部分は、第１の位置と第２の位置との間で撓み、上記弁を開放および閉鎖する、項目３に記載の弁。
（項目５）
上記第２の本体は、半径方向外側部分と、第３の本体の外側部分から内方に延在する半径方向内側円盤とを有するリング状本体を含み、上記第２の本体の外側部分は、上記軸受表面を含み、上記内側円盤は、上記第３の本体の外側部分から片側だけ固定される、項目１に記載の弁。
（項目６）
上記第１の本体に継合することができる第３の本体を含み、上記第３の本体は、上記第２の本体内側円盤に対して荷重を印加し、上記軸受表面と上記支持表面との間の上記ダイヤフラムの締付部分を圧縮する部分を含む、項目５に記載の弁。
（項目７）
上記第１の本体と上記第３の本体との間の摩擦および上記第２の本体と上記ダイヤフラムとの間の摩擦は、上記第１の本体と上記第３の本体との間の相対的回転に抵抗する、項目６に記載の弁。
（項目８）
上記第１の本体は、弁本体を含み、上記第２の本体は、締付リングを含む、項目１に記載の弁。
（項目９）
上記ダイヤフラムの締付部分は、上記溶接と上記溶接されたダイヤフラムの熱影響域とから離間される、項目１に記載の弁。
（項目１０）
上記ダイヤフラムの締付部分は、上記溶接と上記溶接されたダイヤフラムの熱影響域とに隣接する、項目１に記載の弁。
（項目１１）
上記第２の本体は、上記ダイヤフラムと第１の本体支持表面との間にバネ荷重を印加する、項目１に記載の弁。
（項目１２）
円筒形本体の圧着部分によって、上記第１の本体に継合可能な円筒形本体を含む、項目１に記載の弁。
（項目１３）
上記第２の本体は、２つの配向のうちのいずかに搭載することができる対称的円盤を含む、項目１に記載の弁。
（項目１４）
上記第２の本体は、上記円筒形本体の円筒形内部壁内に密嵌合し、上記第２の本体を上記円筒形本体の中心に据える略円形外側壁を含む、項目１２に記載の弁。
（項目１５）
縦軸を有するダイヤフラム弁であって、
支持表面を含む弁本体と、
溶接によって上記弁本体に継合される外側部分と、軸に沿って移動可能な内側部分とを含むダイヤフラムと、
上記弁本体に継合される円筒形本体と、
上記弁本体と上記円筒形本体との間に配置される締付リングであって、上記ダイヤフラムの締付部分および上記弁本体支持表面に対して活荷重を印加する軸受表面を含む締付リングと
を含み、
上記ダイヤフラムの締付部分は、上記溶接と上記ダイヤフラム内側部分との間に配置される、ダイヤフラム弁。
（項目１６）
上記ダイヤフラムは、上記ダイヤフラム弁の縦軸と同軸である中心を伴う略丸形本体を含み、上記ダイヤフラムの締付部分は、上記溶接と上記溶接されたダイヤフラムの熱影響域とから半径方向に内方にある、項目１５に記載のダイヤフラム弁。
（項目１７）
外側リング部分と、内向きに延在する環状円盤部分であって、上記円盤部分を通して中心孔を囲む内側縁まで延在する内向きに延在する環状円盤部分とを含む略環状本体
を含む、締付リング。
（項目１８）
上記環状本体は、中心縦軸を中心として、対称的である、項目１７に記載の締付リング。
（項目１９）
上記外側リング部分は、上記円盤部分の最大軸方向長より長い軸方向長を有する、項目１７に記載の締付リング。
（項目２０）
上記円盤部分は、上記外側リング部分の中央部分から延在する、項目１９に記載の締付リング。
（項目２１）
上記外側リング部分は、上記外側リング部分の主外径から軸方向に延在する環状リブを含む、項目１７に記載の締付リング。
（項目２２）
上記円盤部分は、上記内側縁に向かって先細である、項目２１に記載の締付リング。
（項目２３）
ダイヤフラム弁を製造する方法であって、
ダイヤフラムの外側部分を弁本体に溶接するステップと、
上記ダイヤフラムの溶接された部分と上記ダイヤフラムの中心との間にある締付場所において、上記弁本体に対して圧縮荷重を上記ダイヤフラムに印加するステップと
を含む、方法。
（項目２４）
上記印加された圧縮荷重は、活荷重である、項目２３に記載の方法。
（項目２５）
上記締付場所から離間された部材上の場所において、部材に力を印加するステップと、
上記部材を使用して、上記印加された力を上記印加された圧縮荷重に変換するステップと
を含む、項目２３に記載の方法。
（項目２６）
上記印加された力は、上記締付場所において荷重印加表面に動作可能に連結される片側だけ固定された表面に印加される、項目２５に記載の方法。
（項目２７）
上記円筒形本体は、上記ダイヤフラム弁のためのアクチュエータ筐体を含み、上記円筒形本体は、圧着部分によって、上記弁本体に継合される、項目１５に記載のダイヤフラム弁。
（項目２８）
上記円筒形本体は、上記締付リングに対して荷重を印加し、上記弁本体の上記支持表面に対して上記ダイヤフラム締付部分を圧縮し、上記円筒形本体は、上記ダイヤフラムの締付部分の半径方向に内方にある場所において、上記締付リングに対して荷重を印加する、項目１５に記載のダイヤフラム弁。
（項目２９）
上記円筒形本体は、少なくとも部分的に、上記ダイヤフラム弁のためのアクチュエータを封入する、項目１２に記載のダイヤフラム弁。
（項目３０）
上記第２の本体は、活荷重として、上記ダイヤフラムに対して上記圧縮荷重を印加する一体型本体を含む、項目１１に記載のダイヤフラム弁。
（項目３１）
上記第２の本体は、上記軸受表面を含む第１の部品と、上記活荷重を生成する第２の部品との２つの別個の部品を含む、項目１１に記載のダイヤフラム弁。
（項目３２）
上記円盤部分は、ダイヤフラム支持表面を含む、項目１７に記載の締付リング。
（項目３３）
上記円盤部分は、上記締付リングの半径方向軸を中心として、非対称的である、項目１７に記載の締付リング。
（項目３４）
ダイヤフラム密閉流動空洞であって、
支持表面を含む第１の本体と、
溶接によって上記第１の本体に継合される外側部分と、締付部分と、軸に沿って移動可能な内側部分とを含むダイヤフラムと
を含み、
上記ダイヤフラムの締付部分は、軸受表面と上記支持表面との間に圧縮される、ダイヤフラム密閉流動空洞。
（項目３５）
円筒形本体を上記第１の本体に継合するための圧着部分を有する円筒形本体を含む、項目３４に記載のダイヤフラム密閉流動空洞。
（項目３６）
活荷重を上記ダイヤフラムの締付部分に印加する部材を含む、項目３５に記載のダイヤフラム密閉流動空洞。
（項目３７）
活荷重を上記ダイヤフラムの締付部分に印加する部材を含む、項目３４に記載のダイヤフラム密閉流動空洞。